(57)【要約】【課題】使い易く使用感がよい彫刻刀を提供する。【解決手段】柄部２と、刃体部３と、保護部材４を備えた彫刻刀１において、保護部材４がガード部６を有するものとし、ガード部６が刃の周辺に位置する保護姿勢をとることを可能なものとする。そして、保護姿勢では、柄部２の長手方向を対象面に対して所定角度傾けた姿勢とした場合に刃を対象面に接触させることが可能なものとし、ガード部６によって接触可能となる角度の範囲を規制する。このとき、柄部２の長手方向に延びる仮想線と対象面とのなす角が１５度以上４０度以下の範囲であるときに刃が対象面に接触するものとする。【選択図】図１１
2019000985.tif 000002
【特許請求の範囲】
【請求項１】
柄部と、前記柄部に取り付けられた刃体部と、保護部材を備え、前記刃体部に形成された刃を対象面に接触させて使用可能な彫刻刀であって、
前記保護部材は、少なくとも前記刃体部の周辺に配置可能なガード部を有し、
前記ガード部が前記刃の周辺に位置する保護姿勢とすることが可能であり、
前記保護姿勢では、前記柄部の長手方向を前記対象面に対して傾斜する方向とし、所定の角度傾けた姿勢とすることで、前記刃を前記対象面に接触させることが可能であり、
少なくとも前記ガード部が、前記刃と前記対象面とが接触可能となる前記角度の範囲を規制するものであり、
前記保護姿勢において前記柄部の長手方向に延びる仮想線と前記対象面とのなす角が１５度以上４０度以下の範囲であるときに前記刃が前記対象面に接触することを特徴とする彫刻刀。
【請求項２】
前記柄部の長手方向を前後方向として前記刃体部側を前側としたとき、
前記保護姿勢とした状態での前記ガード部の前端部分から前記刃までの前後方向における距離をＬ２とし、
前記保護姿勢とし、さらに前後方向を水平面に対して平行となる姿勢とした状態で、前記刃と前記ガード部を鉛直方向に延びる仮想線分で結んだ際の仮想線分の長さをＬ３としたとき、
前記Ｌ２は、４．０ｍｍ以上８．０ｍｍ以下であり、前記Ｌ３は、１．０ｍｍ以上３．０ｍｍ以下であることを特徴とする請求項１に記載の彫刻刀。
【請求項３】
前記柄部の長手方向を前後方向として前記刃体部側を前側とし、
前後方向と直交する方向における一端側であり、前記保護姿勢として前記刃を前記対象面に接触させた状態における前記対象面側を下側とし、その反対側を上側としたとき、
前記ガード部の下端よりも下方側に前記柄部の下端が位置し、
前記柄部の下端部分のうちで前端側周辺となる部分もまた、前記角度の範囲を規制することを特徴とする請求項１又は２に記載の彫刻刀。
【請求項４】
前記柄部の長手方向を前後方向として前記刃体部側を前側とし、
前後方向と直交する方向における一端側であり、前記保護姿勢として前記刃を前記対象面に接触させた状態における前記対象面側を下側とし、その反対側を上側としたとき、
前記ガード部は、２つのガード形成片と、２つの前記ガード形成片の前端側同士を繋いで延びるガード連結片とを有し、且つ、前記保護姿勢において前記刃体部の前端及び両側端の外側で半環状に連続して延びるものであり、
前記ガード形成片は、前記保護姿勢において前記刃体部の側方外側で前後方向に延びる部分であり、
前記ガード形成片の前端側には、下面から前面に跨って延びる湾曲面が形成されていることを特徴とする請求項１乃至３のいずれかに記載の彫刻刀。
【請求項５】
前記柄部の長手方向を前後方向として前記刃体部側を前側とし、
前後方向と直交する方向における一端側であり、前記保護姿勢として前記刃を前記対象面に接触させた状態における前記対象面側を下側とし、その反対側を上側としたとき、
前記ガード部は、２つのガード形成片を有し、
前記保護姿勢では、２つの前記ガード形成片の間に前記刃体部が位置し、且つ、前記ガード形成片が前記刃体部の側方外側で前後方向に延びており、
前記ガード形成片は、前後方向に延びる後端側部分と、前方へ向かうにつれて上方へと向かう方向に延びる先端側部分とを有し、
前記ガード形成片の先端側部分には、他の部分よりもくびれた部分であるくびれ部が形成されており、前記ガード形成片の先端側部分がしなる弾性変形が可能であることを特徴とする請求項１乃至４のいずれかに記載の彫刻刀。
【請求項６】
前記くびれ部は、前記ガード形成片の先端側部分の後端よりの部分に形成されていることを特徴とする請求項５に記載の彫刻刀。
【請求項７】
前記くびれ部の横断面の断面二次モーメントの平均値は、１００ｍｍ4以上３００ｍｍ4以下であり、前記ガード形成片の後端側部分における横断面の断面二次モーメントの最小値よりも小さいことを特徴とする請求項５又は６に記載の彫刻刀。
【請求項８】
前記くびれ部の後端部分は、前記刃よりも前後方向における後側に位置しており、前記くびれ部の前端部分は、前記刃よりも前後方向における前側に位置していることを特徴とする請求項５乃至７のいずれかに記載の彫刻刀。
【請求項９】
前記柄部には、内部に前記ガード部の少なくとも一部を収納可能な柄内空間が形成されており、
前記柄内空間は、前記柄部の前方側に開口部分を有しており、当該開口部分の上端部分が、前記ガード部の上端部分よりも僅かに上方に位置している、又は、前記ガード部の上端部分と上下方向の位置が同一となるように形成されており、
前記保護部材は、前記柄部に対して相対的に移動可能に取り付けられ、
前記保護部材を移動させることにより、前記保護姿勢と、前記ガード部の少なくとも一部が前記柄内空間に収納される収納姿勢とを切り替え可能であり、
前記収納姿勢では、前記柄内空間に位置する前記ガード部の上面の各部と、前記柄内空間の上面とが僅かな隙間を空けて対向している、又は、接触していることを特徴とする請求項５乃至８のいずれかに記載の彫刻刀。
【請求項１０】
前記保護部材は、ポリアセタール及びポリアミドを主原料として形成された樹脂成型体であり、
前記ガード部は、前記保護部材と一体成型されるものであることを特徴とする請求項１乃至９のいずれかに記載の彫刻刀。
【請求項１１】
柄部と、前記柄部の前端側に取り付けられた刃体部と、保護部材を備えた彫刻刀であって、
前記保護部材は、少なくとも前記刃体部の周辺に配置可能なガード部を有し、
前記刃体部に刃が形成され、
前記ガード部が前記刃の周辺に位置する保護姿勢とすることが可能であり、
前記保護姿勢とした状態での前記ガード部の前端部分から前記刃までの前後方向における距離をＬ２とし、
前記保護姿勢とし、さらに前後方向を水平面に対して平行となる姿勢とし、前記刃と前記ガード部を鉛直方向に延びる仮想線分で結んだ際の仮想線分の長さをＬ３としたとき、
前記Ｌ２は、４．０ｍｍ以上８．０ｍｍ以下であり、前記Ｌ３は、１．０ｍｍ以上３．０ｍｍ以下であることを特徴とする彫刻刀。
【発明の詳細な説明】
【技術分野】
【０００１】
本発明は、彫刻刀に関するものであり、より詳細には、使用者の手や彫刻刀の刃先を保護することが可能な保護部材付きの彫刻刀に関するものである。
【背景技術】
【０００２】
従来、彫刻刀は、初等教育現場において図画工作の教材として使用されている。そして、刃物に不慣れな年少者でも安全に使用できる彫刻刀として、刃の周囲を囲う保護部材を備えたものが知られている。
【０００３】
このような彫刻刀の一例として、特許文献１に開示された彫刻刀がある。
特許文献１に開示された彫刻刀では、保護部材が柄部分に対して移動可能に取り付けられている。そして、保護部材が柄部材から飛び出して刃先の周囲を覆う状態と、保護部材が柄部材の内部に収納された状態を切り替え可能となっている。
【０００４】
すなわち、刃物の扱いに不慣れな使用者は、保護部材が刃先の周囲を覆う状態で使用することで、安全に使用することができる。
その一方で、熟練した使用者は、刃先の周囲に位置する保護部材を邪魔に感じる場合がある。そのような場合、使用者は、保護部材を柄部材の内部に収納することで、保護部材のない彫刻刀と同じように使用することができる。
【０００５】
すなわち、特許文献１に開示された彫刻刀は、保護部材の位置を可変させることで、熟練度の異なる様々な使用者が快適に使用可能なものとなっている。
また、保護部材を柄部材に対して着脱させる構造とは異なり、取り外した保護部材を紛失したりしないため、好ましい。
【先行技術文献】
【特許文献】
【０００６】
【特許文献１】特開２０１３−０９１３０４号公報
【発明の概要】
【発明が解決しようとする課題】
【０００７】
ところで、特許文献１に開示された彫刻刀は、彫刻作業をさらに容易化し、使用感をさらに良くするという観点から、さらなる改善の余地があった。
【０００８】
また、特許文献１に開示された彫刻刀は、保護部材をより壊れ難くするという観点からも、さらなる改善の余地があった。
すなわち、彫刻刀は、上記したように、年少者による使用が想定されるものであり、思いがけない使い方をされる可能性がある。そして、彫刻刀を想定外の姿勢とした上で無理に力を加えるといった具合に、通常とは異なる使い方をされることで、保護部材が破損してしまう可能性がある。
ここで、保護部材は、手の保護等を目的とした安全のための部材であるので、より壊れにくいことが好ましい。すなわち、より破損し難い保護部材が望まれていた。
【０００９】
つまり、従来の保護部材を有する彫刻刀は、使用感と安全性の向上が望まれていた。
【００１０】
そこで本発明は、使い易く使用感がよい彫刻刀を提供することを可能とする。
【課題を解決するための手段】
【００１１】
上記課題を解決するための請求項１に記載の発明は、柄部と、前記柄部に取り付けられた刃体部と、保護部材を備え、前記刃体部に形成された刃を対象面に接触させて使用可能な彫刻刀であって、前記保護部材は、少なくとも前記刃体部の周辺に配置可能なガード部を有し、前記ガード部が前記刃の周辺に位置する保護姿勢とすることが可能であり、前記保護姿勢では、前記柄部の長手方向を前記対象面に対して傾斜する方向とし、所定の角度傾けた姿勢とすることで、前記刃を前記対象面に接触させることが可能であり、少なくとも前記ガード部が、前記刃と前記対象面とが接触可能となる前記角度の範囲を規制するものであり、前記保護姿勢において前記柄部の長手方向に延びる仮想線と前記対象面とのなす角が１５度以上４０度以下の範囲であるときに前記刃が前記対象面に接触することを特徴とする彫刻刀。
なお、ここでいう「対象面」とは、合板の表面等の彫刻対象となる面であり、彫刻刀を使用する際に刃を接触させる彫刻対象物の面である。
【００１２】
ところで、一般的な彫刻刀で対象面（彫刻対象となる面）を彫る作業をするとき、対象面への刃の接触のさせ方によっては彫り難くなる場合がある。そこで、本発明者らがさまざまな人を対象として官能試験を実施した結果、彫刻刀の長手方向（柄部の長手方向）と対象面とのなす角が４０度を超えて立てた姿勢としたとき、とたんに作業がやり難くなることが判明した。また、１５度を超えて寝かせた姿勢としたりした場合、とたんに作業がやり難くなることが判明した。
そこで、本発明の彫刻刀では、刃を対象面（例えば、版木の表面）に接触させる際、対象面に対する彫刻刀（柄部）の傾きが上記範囲内であるときに刃が接触する構造としている。つまり、上記範囲を超えて立てた姿勢としたり、上記範囲を超えて寝かせた姿勢としたりした場合には、刃が対象面に接触しない構造としている。
このように、作業がやり易い姿勢とすると刃が対象面に接触し、作業をやり難い姿勢とすると刃が接触しない構造とすると、使用するときに刃を対象面に接触させることで、彫刻刀が自然に作業し易い姿勢となる。このため、作業に不慣れな者が使用しても使用感がよく、使い易い彫刻刀を提供できる。
また、作業が不慣れな使用者が本発明の彫刻刀を使い続けることで、使用者が対象面への好ましい刃の当て方を自然に体得するという効果も期待できる。
さらに、ガード部を角度規制部材として機能させるので、部品点数を不必要に増加させることなく姿勢の制限が可能となる。つまり、製造コストの低減を図ることが可能であり、新たに設けた部品が使用時に邪魔になる等の理由により、使用感が悪くなるということもない。
【００１３】
請求項２に記載の発明は、前記柄部の長手方向を前後方向として前記刃体部側を前側としたとき、前記保護姿勢とした状態での前記ガード部の前端部分から前記刃までの前後方向における距離をＬ２とし、前記保護姿勢とし、さらに前後方向を水平面に対して平行となる姿勢とした状態で、前記刃と前記ガード部を鉛直方向に延びる仮想線分で結んだ際の仮想線分の長さをＬ３としたとき、前記Ｌ２は、４．０ｍｍ以上８．０ｍｍ以下であり、前記Ｌ３は、１．０ｍｍ以上３．０ｍｍ以下であることを特徴とする請求項１に記載の彫刻刀である。
【００１４】
かかる構成によると、正面視及び側面視において刃が十分に隠れた状態となり、且つ、ガード部が作業時（彫刻作業時）に邪魔にならないので、高い安全性と使用感のよさを有する彫刻刀を提供できる。また、ガード部を自然な形状として、上記した姿勢の制限が可能となる。
なお、ここでいう「正面視」とは、前方からみた平面視である。また、「側面視」とは、側方からみた平面視であり、刃を彫刻対象面に接触させた状態における彫刻対象面側を下側とし、その反対側を上側としたときの側面視である。
【００１５】
請求項３に記載の発明は、前記柄部の長手方向を前後方向として前記刃体部側を前側とし、前後方向と直交する方向における一端側であり、前記保護姿勢として前記刃を前記対象面に接触させた状態における前記対象面側を下側とし、その反対側を上側としたとき、前記ガード部の下端よりも下方側に前記柄部の下端が位置し、前記柄部の下端部分のうちで前端側周辺となる部分もまた、前記角度の範囲を規制することを特徴とする請求項１又は２に記載の彫刻刀である。
【００１６】
かかる構成によると、ガード部と柄部とを角度規制部材として機能させることで、彫刻刀をより自然な形状とした上で、上記した姿勢の制限が可能となる。
【００１７】
請求項４に記載の発明は、前記柄部の長手方向を前後方向として前記刃体部側を前側とし、前後方向と直交する方向における一端側であり、前記保護姿勢として前記刃を前記対象面に接触させた状態における前記対象面側を下側とし、その反対側を上側としたとき、前記ガード部は、２つのガード形成片と、２つの前記ガード形成片の前端側同士を繋いで延びるガード連結片とを有し、且つ、前記保護姿勢において前記刃体部の前端及び両側端の外側で半環状に連続して延びるものであり、前記ガード形成片は、前記保護姿勢において前記刃体部の側方外側で前後方向に延びる部分であり、前記ガード形成片の前端側には、下面から前面に跨って延びる湾曲面が形成されていることを特徴とする請求項１乃至３のいずれかに記載の彫刻刀である。
【００１８】
かかる構成によると、刃を対象面に当接させたとき、ガード部が対象面の異なる部分に当接しても、ガード部が彫刻作業の邪魔になり難く好ましい。
【００１９】
請求項５に記載の発明は、前記柄部の長手方向を前後方向として前記刃体部側を前側とし、前後方向と直交する方向における一端側であり、前記保護姿勢として前記刃を前記対象面に接触させた状態における前記対象面側を下側とし、その反対側を上側としたとき、前記ガード部は、２つのガード形成片を有し、前記保護姿勢では、２つの前記ガード形成片の間に前記刃体部が位置し、且つ、前記ガード形成片が前記刃体部の側方外側で前後方向に延びており、前記ガード形成片は、前後方向に延びる後端側部分と、前方へ向かうにつれて上方へと向かう方向に延びる先端側部分とを有し、前記ガード形成片の先端側部分には、他の部分よりもくびれた部分であるくびれ部が形成されており、前記ガード形成片の先端側部分がしなる弾性変形が可能であることを特徴とする請求項１乃至４のいずれかに記載の彫刻刀である。
【００２０】
かかる構成では、ガード部の先端側部分にくびれ部を形成しており、何らかの理由でガード部の先端側部分に力が加わった際、ガード部がしなる変形をし、ガード部の破損を抑制できる。
【００２１】
請求項６に記載の発明は、前記くびれ部は、前記ガード形成片の先端側部分の後端よりの部分に形成されていることを特徴とする請求項５に記載の彫刻刀である。
【００２２】
かかる構成では、突出方向基端側となる後端よりの部分にくびれ部が形成されており、全体を大きくしならせるように変形させることが可能であるので、ガード部の破損を防ぐという観点から、さらに好ましい。
【００２３】
請求項７に記載の発明は、前記くびれ部の横断面の断面二次モーメントの平均値は、１００ｍｍ4以上３００ｍｍ4以下であり、前記ガード形成片の後端側部分における横断面の断面二次モーメントの最小値よりも小さいことを特徴とする請求項５又は６に記載の彫刻刀である。
【００２４】
かかる構成によると、ガード部に一定以上の強度と変形し難さを確保しつつ、しならせるように変形させる構造とすることができる。
具体的に説明すると、ガード部は、不意に大きな力が加わった際の破壊を阻止するという観点から、一定以上変形し易くし、弾性範囲を広くすることが好ましい。しかしながら、その一方で、通常使用時に安全性を確保するという観点から、軽く力を加えた程度では変形しないものとすることが好ましい。したがって、上記の構成とすることで、不意に大きな力が加わった際と、通常使用時の双方において好適なガード部を形成することができる。
【００２５】
請求項８に記載の発明は、前記くびれ部の後端部分は、前記刃よりも前後方向における後側に位置しており、前記くびれ部の前端部分は、前記刃よりも前後方向における前側に位置していることを特徴とする請求項５乃至７のいずれかに記載の彫刻刀である。
【００２６】
かかる構成では、ガード部が物体に押し付けられて変形するとき、ガード部は、刃よりも後方に位置するくびれ部の後端部分からしなるように変形することとなる。このことから、ガード部が変形するとき、刃（刃体部の前端）が物体に接触しやすい構造とすることができる。そして、刃を物体に接触させることで、ガード部のさらなる変形を阻止し、ガード部の破損を防止することができる。
【００２７】
請求項９に記載の発明は、前記柄部には、内部に前記ガード部の少なくとも一部を収納可能な柄内空間が形成されており、前記柄内空間は、前記柄部の前方側に開口部分を有しており、当該開口部分の上端部分が、前記ガード部の上端部分よりも僅かに上方に位置している、又は、前記ガード部の上端部分と上下方向の位置が同一となるように形成されており、前記保護部材は、前記柄部に対して相対的に移動可能に取り付けられ、前記保護部材を移動させることにより、前記保護姿勢と、前記ガード部の少なくとも一部が前記柄内空間に収納される収納姿勢とを切り替え可能であり、前記収納姿勢では、前記柄内空間に位置する前記ガード部の上面の各部と、前記柄内空間の上面とが僅かな隙間を空けて対向している、又は、接触していることを特徴とする請求項５乃至８のいずれかに記載の彫刻刀である。
【００２８】
かかる構成によると、何らかの理由により、ガード部が弾性範囲を超えて変形してしまっても、収納姿勢へと切り替える操作を行うことで、元の形（又は元の形に近い形状）に復元させることが可能となる。
【００２９】
請求項１０に記載の発明は、前記保護部材は、ポリアセタール及びポリアミドを主原料として形成された樹脂成型体であり、前記ガード部は、前記保護部材と一体成型されるものであることを特徴とする請求項１乃至９のいずれかに記載の彫刻刀である。
【００３０】
かかる構成では、角度規制部材として機能させる上では十分な程度に変形し難く、且つ、不意に加わる強い力に応じて変形をさせる上では好ましい程度に変形し易いガード部を安価且つ容易に形成可能である。
なお、ここでいう「主原料」とは、機能を発揮するために十分な量が含まれていることをいう。さらに、ここでいう「ポリアセタール及びポリアミドを主原料とする」とは、ポリアセタールとポリアミドの原料全体に占める割合が５０パーセント以上であるものとする。
【００３１】
請求項１１に記載の発明は、柄部と、前記柄部の前端側に取り付けられた刃体部と、保護部材を備えた彫刻刀であって、前記保護部材は、少なくとも前記刃体部の周辺に配置可能なガード部を有し、前記刃体部に刃が形成され、前記ガード部が前記刃の周辺に位置する保護姿勢とすることが可能であり、前記保護姿勢とした状態での前記ガード部の前端部分から前記刃までの前後方向における距離をＬ２とし、前記保護姿勢とし、さらに前後方向を水平面に対して平行となる姿勢とし、前記刃と前記ガード部を鉛直方向に延びる仮想線分で結んだ際の仮想線分の長さをＬ３としたとき、前記Ｌ２は、４．０ｍｍ以上８．０ｍｍ以下であり、前記Ｌ３は、１．０ｍｍ以上３．０ｍｍ以下であることを特徴とする彫刻刀である。
【００３２】
かかる構成の彫刻刀においても、ガード部を自然な形状とした上で、上記したような姿勢の制限が可能となる。
【発明の効果】
【００３３】
本発明によると、使い易く使用感がよい彫刻刀を提供できる。
【図面の簡単な説明】
【００３４】
【図１】本発明の実施形態にかかる彫刻刀を示す斜視図であり、（ａ）は保護姿勢、（ｂ）は収納姿勢を示す。
【図２】図１の彫刻刀を示す分解斜視図である。
【図３】図１の柄部を示す一部破断斜視図である。
【図４】図１（ａ）の彫刻刀の前端近傍を示す側面図である。
【図５】図４の彫刻刀において、ガード部を幅方向の中心部分で破断し、幅方向における片側側方を省略して示す説明図である。
【図６】図４の彫刻刀を示す断面図であり、（ａ）はＡ−Ａ断面図、（ｂ）はＢ−Ｂ断面図である。
【図７】図１の彫刻刀の前端側を下方に向け、下方側の平面に押し付ける様子を示す説明図であり、（ａ）は押し付ける前の状態を示し、（ｂ）は押し付けた後の状態を示す。
【図８】図１の柄部と保護部材の前端側部分を模式的に示す説明図であり、柄部を破断すると共に一部を省略し、保護姿勢から収納姿勢へ移行する際の様子を示す図であって、（ａ）〜（ｃ）の順に移行する様子を示す。
【図９】図１の柄部と保護部材の前端側部分を模式的に示す説明図であり、柄部を破断すると共に一部を省略し、ガード部が反り返るように変形した後に保護姿勢から収納姿勢へ移行する際の様子を示す図であって、（ａ）〜（ｃ）の順に移行する様子を示す。
【図１０】図１の彫刻刀を下方側に位置する平面に接触させる様子を示す説明図であり、彫刻刀の長手方向に沿って延びる仮想線と平面のなす角を可変させる様子を示す図であって、（ａ）〜（ｃ）の順になす角を大きくした様子を示す。
【図１１】図１０に続いて、彫刻刀の長手方向に沿って延びる仮想線と平面のなす角をさらに大きくした様子を示す図であって、（ａ）、（ｂ）の順になす角を大きくした様子を示す。
【図１２】図２の保護部材を示す図であって、（ａ）は異なる方向からみた斜視図であって一部を拡大した図であり、（ｂ）は（ａ）の拡大部分を示す平面図である。
【図１３】図２の第二柄形成片の後端側部分を示す図であって、（ａ）は斜視図、（ｂ）は平面図である。
【図１４】図１の彫刻刀において、保護部材を後方側に移動させて収納姿勢へ移行する際の様子を示す説明図であり、柄部の後端側を破断すると共に一部を拡大して示す図であって、（ａ）〜（ｃ）の順に移行する様子を示す。
【図１５】実施例１の彫刻刀に対してガード部の耐久性試験を実施する様子を模式的に示す説明図である。
【図１６】実施例１及び比較例１、比較例２に対して行った耐久試験の結果を示すグラフである。
【発明を実施するための形態】
【００３５】
以下、本発明の実施形態について詳細に説明する。
以下の説明では、特に断りのない限り、彫刻刀１の長手方向を前後方向とし、刃が位置する長手方向の一端側を前側、対となる他端側を後側とする。
また、特に断りのない限り、以下の説明における上下方向は、彫刻刀１の長手方向と直交する方向であり、図１における高さ方向とする。
さらにまた、特に断りのない限り、以下の説明における幅方向は、上記した上下方向及び前後方向と直交する方向とする。
【００３６】
なお、上記の上下方向について付言すると、本実施形態における彫刻刀１は平刀であり、通常使用時において、刃表を木版等の彫刻対象物側に位置させて使用することを想定している。したがって、本実施形態の彫刻刀１の上下方向とは、刃表を下方側にして寝かせた姿勢における上下方向と同方向である。言い換えると、刃表及び刃裏のうち、通常使用時に彫刻対象物側に位置する部分を下方側として寝かした姿勢における上下方向と同方向である。
そして、ここでいう「寝かせた姿勢」とは、前後方向が水平面と平行な方向となる姿勢である。
【００３７】
本実施形態の彫刻刀１は、図１で示されるように、柄部２、刃体部３、保護部材４を備えた構造となっている。
そして、この彫刻刀１は、保護部材４の一部であるガード部６が刃体部３の周囲を覆う保護姿勢（図１（ａ）参照）と、ガード部６が柄部２の内部に収納される収納姿勢（図１（ｂ）参照）との間で姿勢変更が可能となっている。すなわち、外部に露出する操作部７を前後方向に移動させることで、保護部材４の全体が前後方向に移動し、それに伴ってガード部６が前後方向に移動する構造となっている。そして、収納姿勢とすることで、ガード部６が刃体部３の周囲から退去する。つまり、収納姿勢は、刃体部３の周辺を開放する姿勢となっている。
【００３８】
柄部２は、図２で示されるように、上側に位置する第一柄形成片１０と、下方側に位置する第二柄形成片１１とを備えており、これらを重ね合わせて一体化することで形成される部分である。
なお、第一柄形成片１０には、操作部７を露出させるための窓部１０ａが形成されている。この窓部１０ａは、第一柄形成片１０の外側面（上面）と、内側面（下面）とを貫通する貫通孔であり、前後方向に延びる長孔となっている。
【００３９】
この柄部２の内部には、図３で示されるように、刃体取付部１８と、ガイド突起部１９が形成されている。これらは、柄部２の内部空間のうち、幅方向における中心側に形成される部分となっている。
【００４０】
刃体取付部１８は、第一柄形成片１０の内側面（下面）と第二柄形成片１１の内側面（上面）とを繋ぐように形成される塊状の部分であり、平面視形状が略直方体状であって、前後方向に延びる部分となっている。
この刃体取付部１８の前端面には、刃体部３を取り付けるための取り付け孔が形成されている。そして、刃体取付部１８の下端側部分に、柄側係合凹部１８ａが形成されている。
【００４１】
柄側係合凹部１８ａは、幅方向内側へ向かって窪む部分である。本実施形態では、刃体取付部１８の幅方向における片側端部と、他方側端部のそれぞれに一つずつ柄側係合凹部１８ａが形成されている。言い換えると、一方の柄側係合凹部１８ａから幅方向に離れた位置に他方の柄側係合凹部１８ａが形成されており、刃体取付部１８の下端側部分が、その上側部分よりも幅方向の長さが短くなっている。
この柄側係合凹部１８ａは、保護部材４の一部と係合することで、保護部材４の移動時にガイド部として機能する。
【００４２】
ガイド突起部１９は、刃体取付部１８の後方に位置する２つのガイド形成片部１９ａ，１９ｂによって形成されている。
２つのガイド形成片部１９ａ，１９ｂは、いずれも立壁状の部分であり、幅方向で間隔を空けて配置され、互いに平行となるように前後方向に延びている。このガイド形成片部１９ａ，１９ｂは、第二柄形成片１１の内側面から上方に突出しており、第一柄形成片１０の内側面（下面）から下方に離れた位置まで延びている。つまり、２つのガイド形成片部１９ａ，１９ｂの上端部分と、第一柄形成片１０の内側面（下面）の間に空間が形成されている。
【００４３】
すなわち、柄部２は、後端側が閉塞された筒状体であって、その内部空間である柄内空間２０は、前端側に開口部分２０ａを有する空間となっている。
そして、この柄内空間２０が、保護部材４の大部分を収納可能となっている。具体的には、刃体取付部１８及びガイド突起部１９よりも幅方向の一端側に位置する部分と、これらよりも幅方向の他端側に位置する部分と、ガイド突起部１９の上方に位置する部分とが、保護部材４を配置、移動させるための空間となっている。
【００４４】
刃体部３は、鋼等の適宜な金属で形成された板状部分であり、前端部分に位置する刃（刃先）の形状が、幅方向に延びた平らな形状となっている。すなわち、本実施形態の彫刻刀１は、所謂平刀と称されるものとなっている。
付言すると、刃体部３の刃とは、刃体部３の上面と下面の境界となる部分であり、当該部分を薄く鋭く加工して形成される部分である。したがって、この刃体部３の刃は、刃体部３の前端側に位置するごく細い面又は辺である。
【００４５】
保護部材４は、適宜な樹脂を原料として形成される部材であり、本実施形態では、ポリアセタールと、ポリイミドを主たる原料として形成された樹脂成型体となっている。このため、保護部材４は、可撓性（弾性）を有する部材となっている。
【００４６】
保護部材４は、図２で示されるように、ガード部６と、連結部２５と、内部摺動体２６と、操作部７とを備えており、これらが一体となって形成されている。
【００４７】
ガード部６は、保護姿勢（図１（ａ）参照）としたとき、柄部２の前端よりも前方に位置して外部に露出する部分であり、２つのガード形成片３０，３１とガード連結片３２を備えた構造となっている。
より詳細に説明すると、ガード部６は、保護部材４と一体成型され、保護部材４の前端側で半環状に連続する部分となっている。そして、幅方向の一端側に位置する立壁状のガード形成片３０と、他端側に位置するもう一方のガード形成片３１と、２つのガード形成片３０，３１の前端側同士を連結するガード連結片３２とが一体に形成され、全体における平面視形状が略Ｕ字状となっている。
このガード部６は、本実施形態の特徴的な部分であり、詳しくは後述する。
【００４８】
連結部２５は、２つの連結片部２５ａ，２５ｂによって形成される部分である。
２つの連結片部２５ａ，２５ｂは、いずれも断面形状が略「Ｌ」字状で前後方向に延びる部分であり、立壁状となる部分の下端側の一部を内側（幅方向内側）に折り曲げたような形状となっている。すなわち、２つの連結片部２５ａ，２５ｂは、幅方向で離間した位置で互いに平行となるように延びる部分であり、離間対向するそれぞれ内側面の下端側には、互いに近づく方向へ突出する平板状の部分が形成されている。
２つの連結片部２５ａ，２５ｂのうち、一方の前端部分が一方のガード形成片３０の後端部分と連続して一体となって延びている。また、他方の前端部分がもう一方のガード形成片３１の後端部分と連続して一体となって延びている。そして、それぞれの後端部分が内部摺動体２６の前端側部分と連続している。
【００４９】
内部摺動体２６は、天板部２６ａと、天板部２６ａの幅方向における両端それぞれから下方へ垂下される２つの立板部２６ｂ，２６ｃを備えた構造となっている。
すなわち、天板部２６ａの下方側には、天板部２６ａと、幅方向で離間対向する２つの立板部２６ｂ，２６ｃに囲まれた係合凹部３５が形成されている。そして、この係合凹部３５は、ガイド突起部１９を嵌入可能な凹部となっている。
【００５０】
操作部７は、操作突起７ａと前側係止片部７ｂを備えた構造となっており、これらが一体に形成された部分となっている。
【００５１】
操作突起７ａは、平面視形状が略小判状（トラック状）となる突起部分である。
なお、ここでいう「小判状（トラック状）」とは、長方形の２本の短辺をそれぞれ半円に置き換えた形状とする。
【００５２】
前側係止片部７ｂは、操作突起７ａの前下端部近傍からさらに前方へ突出する平板状部分と、この平板状部分の突出端近傍で上方へ突出する突起部分とを備えた形状となっている。
【００５３】
ここで、内部摺動体２６の天板部２６ａには、適宜の部分に天板部２６ａを厚さ方向（上下方向）に貫通する貫通孔が形成されている。そして、操作部７の前方側の大部分は、天板部２６ａの貫通孔と平面視で重なる位置に配されている。つまり、操作部７は、後端部分のみが天板部２６ａと連結しており、片持ち状に延出する部分となっている。
したがって、操作突起７ａを下方側へ向かって押圧すると、前側係止片部７ｂもまた下方側へ移動する構造となっている。
【００５４】
ここで、ガード部６について詳細に説明する。
ガード部６は、上記したように、２つのガード形成片３０，３１と、ガード連結片３２が一体になって形成される部分となっている（図１（ａ）等参照）。
ここで、２つのガード形成片３０，３１は、同形であり、視線方向を幅方向とした平面視において重なるように配置されている。これらは、幅方向で離間対向しており、互いに平行となるように延びている。
なお、以下の説明では、一方のガード形成片３０（第１のガード形成片３０）を詳細に説明し、同形である他方のガード形成片３１（第２のガード形成片３１）については、重複する詳細な説明を省略する。
【００５５】
ガード形成片３０は、図４に示されるように、後端側から順にガード基端部３８、くびれ部３９、先端側部４０に区画される部分となっている。
すなわち、ガード形成片３０では、ガード基端部３８が後端側部分を形成しており、くびれ部３９及び先端側部４０によって先端側部分が形成されている。そして、先端側部分は、ガード基端部３８の前端から前方上側へ向かって延びている。
そして、ガード形成片３０の先端側部分では、後側部分を形成するくびれ部３９が、前側部分を形成する先端側部４０の大部分と比べて細くなるように形成されている。
【００５６】
ガード基端部３８は、上面が水平面に対して平行な面となっており、その前側部分が前方側に向かうにつれて細くなる部分となっている。
【００５７】
くびれ部３９は、前方上側に向かうにつれて細くなっていき、最も細い部分からさらに前方上側に向かうにつれて太くなる部分となっている。そして、くびれ部３９の後端部分は、刃体部３の刃と比べて前後方向における位置が後側となっている。さらに、くびれ部３９の前端部分は、刃体部３の刃と比べて前後方向における位置が前側となっている。
このくびれ部３９の上面は、斜め方向（前側下方）に窪んだ湾曲面となっている。
【００５８】
先端側部４０は、上面が上側に凸となるように丸みを帯びた湾曲面となる部分である。
【００５９】
ここで、ガード形成片３０の下面には、ガード基端部３８の下面において前側よりとなる部分から、くびれ部３９の下面を経て、先端側部４０の下面において後側よりとなる部分までの間に、緩やかに延びる一連の傾斜面が形成されている。そして、この傾斜面よりも前方側に位置する部分に、湾曲面部４５が形成されている。
湾曲面部４５は、先端側部４０の下面のうちで前側よりとなる部分から、ガード形成片３０の前端面までの間で延びる湾曲面を形成している。つまり、ガード形成片３０の前端側には、下面における前端側から前面における下側までの間に跨って延びる湾曲面が形成されている。
【００６０】
ここで、くびれ部３９の厚さの最小値Ｌ１は、１．５ｍｍ以上４．０ｍｍ以下であることが好ましく、１．５ｍｍ以上３．０ｍｍ以下であることがより好ましく、２．０ｍｍ以上２．５ｍｍ以下であることがさらに好ましい。
なお、「くびれ部３９の厚さ」とは、くびれ部３９の上面から下面までの距離であり、幅方向を視線方向とした平面視において、くびれ部３９の延び方向と直交する方向の長さである。また、ここでいう「程度」とは数パーセントの誤差を含むものとし、後述する記載においても同様である。
【００６１】
付言すると、このくびれ部３９の厚さの最小値Ｌ１は、ガード基端部３８の厚さの最小値よりも小さくなっている。さらに、本実施形態では、このくびれ部３９の厚さの最小値Ｌ１を２．３ｍｍ程度としている。
【００６２】
さらに、ガード部６の前端部分から刃までの前後方向における距離Ｌ２（図４参照）は、４．０ｍｍ以上８．０ｍｍ以下であることが好ましく、６．３ｍｍ以上７．５２ｍｍ以下であることがより好ましく、６．５ｍｍ以上７．０ｍｍ以下であることがさらに好ましい。
なお、この距離Ｌ２は、視線方向を幅方向とした側面視において、ガード部６の前端部分と刃を結ぶ線分（仮想線分）の前後方向成分の長さでもある。言い換えると、ガード部６の前端部分と刃を結ぶ線分（仮想線分）のうちで、最も短い線分の前後方向（彫刻刀１の長手方向）成分の長さでもある。
【００６３】
また、本実施形態のように刃の形状を所謂平刀とした場合には、この距離Ｌ２は、４．０ｍｍ以上８．０ｍｍ以下であることが好ましく、６．０ｍｍ以上７．０ｍｍ以下であることがより好ましい。本実施形態では、この距離Ｌ２を、６．５９ｍｍ程度としている。
【００６４】
また、視線方向を幅方向とした側面視において、刃とガード部６を上下方向に延びる線分（仮想線分）で結んだ際の当該線分の長さＬ３（図４参照）は、１．０ｍｍ以上３．０ｍｍ以下であることが好ましい。また、１．２５ｍｍ以上１．３７ｍｍ以下であることがより好ましく、１．３０ｍｍ以上１．３５ｍｍ以下であることがさらに好ましい。
なお、この長さＬ３は、視線方向を幅方向とした側面視において、ガード部６のうちで刃の直上に位置する部分から刃までの距離でもある。
【００６５】
また、本実施形態のように刃の形状を所謂平刀とした場合には、この線分の長さＬ３は、１．０ｍｍ以上３．０ｍｍ以下であることが好ましく、１．０ｍｍ以上２．０ｍｍ以下とすることがより好ましい。本実施形態では、この線分の長さＬ３を、１．２６ｍｍ程度としている。
【００６６】
ここで、ガード連結片３２は、図５で示されるように、２つのガード形成片３０，３１（一方は図５では図示しない）の突出方向における端部同士を連結する部分であり、ガード部６の前端面及び上端面の大部分を形成している。
【００６７】
そして、ガード連結片３２の下面から刃までの上下方向における距離Ｌ４（図５参照）は、２．０ｍｍ以上５．０ｍｍ以下であることが好ましく、２．５ｍｍ以上４．５ｍｍ以下であることがより好ましく、３．０ｍｍ以上４．０ｍｍ以下であることがさらに好ましい。
なお、この距離Ｌ４は、視線方向を幅方向とした側面視において、ガード連結片３２の下面と刃を結ぶ線分（仮想線分）の上下方向成分の長さでもある。
本実施形態では、この距離Ｌ４を３．６７ｍｍ程度としている。
【００６８】
さらに、くびれ部３９の横断面の断面二次モーメントの平均値は、１００ｍｍ4以上３００ｍｍ4以下であることが好ましく、１５０ｍｍ4以上２５０ｍｍ4以下であることがより好ましく、１６０ｍｍ4以上２００ｍｍ4以下であることがさらに好ましい。
なお、ここでいう「横断面」とは、延び方向に垂直な方向（くびれ部３９の厚さ方向）で切断した断面である。
【００６９】
ここで、ガード基端部３８の前端部分における横断面（図６（ａ）参照）は、ガード基端部３８の横断面のうち、断面二次モーメントの値が最小となる部分となっている。そして、この前端部分における断面二次モーメントの値は、４０５．３５ｍｍ4程度となっている。
つまり、くびれ部３９の横断面の断面二次モーメントの平均値は、ガード基端部３８の前端部分における断面二次モーメントの値を下回っている。
さらに、くびれ部３９の最も細い部分における横断面（図６（ｂ）参照）は、くびれ部３９の横断面のうち、断面二次モーメントの値が最小となる部分となっている。そして、この部分における断面二次モーメントの値は、１８１．９８ｍｍ4程度となっている。
【００７０】
本実施形態では、刃体部３及びガード部６を上記のように形成することで、ガード部６に無理に力が加わっても撓んで変形し、ガード部６が破損し難い構造としている。
より詳細には、この彫刻刀１は、図７で示されるように、保護姿勢時にガード部６を下側に向けて直立させた姿勢とし、鉛直下方へと移動させて下側の平面に押し付けた場合、刃が平面に当たるまで押し付けてもガード部６が破損しない構造となっている。
なお、ここでいう「直立させた姿勢」とは、彫刻刀１の長手方向（上記の前後方向）が上下方向となる姿勢である。
【００７１】
つまり、本実施形態の彫刻刀１は、ガード部６の前端部分を上方側（図７では左側）に反り返るように変形させることが可能となっている。そして、このように変形させた際、変形後のガード部６の前端部と、刃体部３の刃を前後方向の位置が同一となる状態（図７（ｂ）で示される状態であり、図７では上下方向）とすることが可能となっている。
そして、ガード部６をこのような状態まで変形させても、ガード部６を自然状態（外力が加わらない状態であり、平面から離した状態）とすることで、ガード部６が元の形状に戻るものとなっている。
以上のように、彫刻刀１は、ガード部６を弾性範囲内で変形させる際、変形後のガード部６の前端部分と刃のそれぞれとが同一平面上（彫刻刀１の長手方向と直交する仮想面上）に位置させることが可能となっている。より詳細には、この状態からさらにもう少しだけ反り返らせる弾性変形が可能となっている。
【００７２】
つまり、使用者が通常とは異なる姿勢や使用法で彫刻刀１を使用し、このことに起因して無理な力がガード部６に加わる場合、他物体（例えば、彫刻対象となる合板表面や、机の天板等）に対して押し付けられている可能性が高い。
そこで、本実施形態では、ガード部６が何らかの面に押し付けられても、ガード部６が撓んで変形し、その結果、ガード部６とは異なる部分（刃体部３の刃等）がこの接触面に接触する構造となっている。このことにより、ガード部６の一定量以上の変形が阻止され、ガード部６の破損を阻止する（抑制する）ことが可能な構造となっている。このことは、上記のように直立した姿勢の他、彫刻刀１が接触面に対して傾斜した姿勢（彫刻刀１の長手方向に延びる仮想線と接触面とのなす角が９０度以下となる姿勢）として押し付けた場合も同様である。
【００７３】
さらに、上記したガード部６の上端が反り返るような変形の他、ガード部６の上端が下方側へ移動するような弾性変形もまた可能となっている。
すなわち、彫刻刀１を天地逆とし、彫刻刀１が接触面に対して傾斜した姿勢で刃先近傍を平面に押し付けた場合であっても、ガード部６が変形し刃体部３が平面に接触する構造となっている。
なお、ガード部６の上端が下方側に移動する変形の弾性範囲内における最大変形量は、上方側に移動する変形の弾性範囲内における最大変形量よりも小さくなっている。
【００７４】
しかしながら、このように形成した彫刻刀１であっても、ガード部６の前端部分を上方側に反り返るように変形させた際に、何らかの理由により、弾性範囲を超えて変形してしまうことが考えられる。
【００７５】
そこで、本実施形態の彫刻刀１は、保護姿勢から収納姿勢へと移行させることで、ガード部６を元の形状（又は元の形状に近い形状）に復元させることが可能な構造となっている。すなわち、ガード部６が上方側に反り返るように塑性変形してしまっても、元の形状に復元させることが可能となっている。
【００７６】
まず、通常の状態の彫刻刀１について説明すると、本実施形態では、図８で示されるように、ガード部６の上端部分が柄内空間２０の上端部分よりも下方側に位置している。このため、彫刻刀１を保護姿勢から収納姿勢へと移行させる際、ガード部６が柄部２の前端面と接触しない構造となっている。
【００７７】
そして、柄内空間２０の前端側部分では、その内周面上部の形状が、ガード部６の上面に概ね沿う形状であって、後方側へ向かうにつれて緩い下り勾配となる湾曲面となっている。
したがって、図８（ｃ）で示されるように、彫刻刀１を収納姿勢としたとき、ガード部６の上方に位置する第一柄形成片１０の内側面と、ガード部６の上面とは、一部が接触し、他の大部分で離間対向した状態となる。そして、離間対向している部分では、各部における第一柄形成片１０の内側面とガード部６の上面の間隔が略同一となっている。
この間隔は、ガード部６の上下方向における長さの１０パーセント以下であり、数ｍｍ（例えば、３ｍｍ）以下となる微細な間隔であって、本実施形態では、１ｍｍ以下の間隔である。
【００７８】
これに対し、図９（ａ）で示されるように、ガード部６の上端部分が反り返るように塑性変形してしまった場合、ガード部６の上端部分が柄内空間２０の上端部分よりも上方に位置することとなる。つまり、ガード部６は、上記したように、変形後の前端部分と刃とが前後方向における位置が同一となるように弾性変形可能となっている。このため、ガード部６が弾性範囲を超えて反り返るように変形した場合には、必然的にガード部６の上端部分が柄内空間２０の上端部分よりも上方に位置することとなる。
【００７９】
この状態で、彫刻刀１を保護姿勢から収納姿勢へと移行させると、図９（ｂ）で示されるように、ガード部６の上端部分が柄部２の前端面と接触した状態となる。
そして、このままガード部６を後方側へ移動させる操作を実施すると、ガード部６が柄部２の前端面や内周面上部に押し当てられた状態となり、さらにガード部６に対して後方側へと向かう力が加わる。このことから、ガード部６は、柄部２から受ける反力により、反りが矯正される方向へ力が加わることとなる。
【００８０】
さらに、本実施形態の彫刻刀１は、刃体部３及びガード部６を上記のように形成することで、木版等の彫刻対象物を彫る作業を実施する際、彫刻刀１の刃を作業し易い姿勢（角度）で彫刻対象物に当接させることが可能なものとなっている。言い換えると、本実施形態の彫刻刀１は、刃が彫刻対象物に対して彫り難い角度で接触しないよう、保護姿勢時における刃の接触角度を規制するものとなっている。
【００８１】
すなわち、図１０、図１１で示されるように、彫刻刀１の刃を下方側に位置する平面（対象面）に接触させる際、彫刻刀１の長手方向に沿って延びる仮想線と平面のなす角αが所定範囲内である場合にのみ、刃が平面に接触する構造となっている。
この所定範囲（なす角αの範囲）は、１５．０度以上４０．０度以下であることが好ましく、１５．０度以上３５．０度以下であることが特に好ましい。そして、１６．０５度以上３１．６８度以下であることがより好ましく、２０．０度以上３０．０度以下であることがさらに好ましい。
【００８２】
また、本実施形態のように刃の形状を所謂平刀とした場合には、このなす角αの範囲は、１７．１６度以上３０．２６度以下であることが好ましく、２０．０度以上３０．０度以下であることがより好ましい。本実施形態では、この所定範囲が１７．１６度以上３０．２６度以下となっている。
【００８３】
ここで、このなす角αの範囲は、予め実施した官能試験等に基づいて決定される範囲となっている。
具体的に説明すると、本発明者らがさまざまな人に官能試験を実施した結果、なす角αが４０．０度を超えて彫刻刀を立てた姿勢すると、大多数の人が作業をやり難く感じることが判明した。
また、なす角αを１５．０度を下回る角度で寝かせた姿勢とした場合、刃先が表面で滑る等の問題が生じ、１５．０度以上とした場合に比べ、とたんに作業がやり難くなることが判った。
そして、なす角αが１５．０度以上の範囲において、上記なす角αが３５．０度以下とした場合、３５．０度を上回る角度した場合よりも、多くの人が作業をやり易く感じるようになることが判明した。さらに、上記なす角αを２０．０度以上３０．０度以下の範囲としたとき、より顕著に大多数の人が作業をやり易く感じるようになることが判明した。
また、このなす角αの範囲は、ガード部６が自然状態における形状（通常形状）を保っている場合の範囲であり、当然のことながら、無理に力を加えてガード部６を撓ませた場合はこの限りではない。
【００８４】
上記試験結果を踏まえ、本実施形態の彫刻刀１では、上記なす角αが１７．１６度を下回ったとき、図１０（ａ）で示されるように、柄部２が対象面に当接し、刃の対象面への接触が阻止される構造としている。
【００８５】
そして、上記なす角αが上記範囲内である場合、図１０（ｂ）、図１０（ｃ）、図１１（ａ）でそれぞれ示されるように、刃が対象面に接触する。なお、図１０（ｂ）、図１０（ｃ）、図１１（ａ）で示される姿勢では、それぞれの上記なす角αが１７．１６度、２２．０度、３０．２６度となっている。
【００８６】
ここで、本実施形態の彫刻刀１は、図１０（ｂ）、図１０（ｃ）で示されるように、なす角αを好ましい範囲とした場合、殆どの場合において、ガード部６が対象面に接触しない構造となっている。このことから、ガード部６が彫刻作業時に邪魔にならず、好ましい。
さらに、図１１（ａ）で示されるように、刃とガード部６がそれぞれ対象面に接触する場合においても、上記したように、湾曲面部４５が形成されており、ガード部６と対象面の接触面積を少なくすることができる。このため、刃を対象面に接触させたまま動かすとき、ガード部６が刃の移動を妨げたりすることなく、好ましい。
【００８７】
さらに、上記なす角αが３０．２６度を上回ったとき、図１１（ｂ）で示されるように、ガード部６が刃の対象面への接触へ阻止し、刃が対象面に接触しない構造となっている。
【００８８】
したがって、彫刻刀１を平面上で寝かせた姿勢とし、徐々に上記なす角αの値が増加するように彫刻刀１を立てた姿勢としていくと、上記なす角αが１７．１６度となった状態で刃が平面に接触する。そして、そのまま上記なす角αが３０．２６度となるまでの間、刃が平面に接触した状態を維持し、３０．２６度を上回ると、刃が平面から離間することとなる。
【００８９】
つまり、本実施形態の彫刻刀１は、柄部２とガード部６によって刃の接触角度を規制可能となっている。言い換えると、本実施形態のガード部６は、使用者の指等を保護する保護部材として機能するだけでなく、刃の接触角度を規制する規制部材としても機能する。
【００９０】
ここで、本実施形態のガード部６は、上記したように、不意に強い力が加わった際に一定量以上の変形を可能としており、変形によってガード部６の破損を防止又は抑制する構造となっている。このため、弾性率を一定以上低くし、弾性範囲を一定以上広くする必要がある。
その一方で、ガード部６は、接触角度を規制する規制部材としても機能するため、軽く力を加えた程度では変形しないものとする必要がある。このため、弾性率を一定以上高くする必要がある。
このことから、本実施形態のガード部６は、上記したように形成することで、ゴム等を原料にして形成した場合に比べて弾性率が高く、適宜な弾性率と広い弾性範囲を有する部材となっている。すなわち、上記した主原料を用いると共に、上記したＬ１の範囲とすることで、強度と安全性を両立させる上で好ましいものとしている。
また、上記したＬ２、Ｌ３、Ｌ４の範囲とすることで、上記した角度制限を可能とすると共に、刃を十分に隠した状態としつつ、ガード部を作業時に邪魔にならないようにしている。つまり、安全性と使用感のよさを両立させる上で好ましいものとしている。
【００９１】
ところで、本実施形態の彫刻刀１は、柄部２と保護部材４とが係合することで、保護姿勢と収納姿勢のそれぞれの状態が維持される構造となっている。
【００９２】
具体的に説明すると、保護部材４の前側係止片部７ｂ（図２参照）が、第一柄形成片１０の内側面（下面）に形成される凹部（図示しない）と係合することで、保護姿勢が維持される構造となっている。
つまり、これら前側係止片部７ｂと凹部とは、保護姿勢を維持するための第一の姿勢維持部として機能する部分であり、保護姿勢時に係合した状態となり、保護部材４を移動させる際と収納姿勢時において係合解除された状態となる。
【００９３】
これに対し、保護部材４の後方側に形成された後側係合突起５０（図１２参照）と、第二柄形成片１１に形成された柄側係合突起５３（図１３参照）とが、収納姿勢を維持するための第二の姿勢維持部として機能する部分となっている。
【００９４】
後側係合突起５０は、図１２で示されるように、保護部材４の２つの立板部２６ｂ，２６ｃにそれぞれ形成された突起状部分となっている。
ここで、２つの立板部２６ｂ，２６ｃには、いずれも後端部分よりもやや前方となる位置に溝部５１が形成されている。言い換えると、２つの立板部２６ｂ，２６ｃは、いずれも後端側の一部分が欠落した壁状部分となっている。
【００９５】
溝部５１は、立板部２６ｂ，２６ｃの下端（図１２では上端）から上端まで延びる切り欠き溝状の部分であって、立板部２６ｂ，２６ｃを厚さ方向に貫通している。つまり、溝部５１は、立板部２６ｂ，２６ｃを前方側の大部分と、後端側の一部分とに分断している。
【００９６】
そして、立板部２６ｂ，２６ｃの後端側の一部分には、その内側面に後側係合突起５０が形成されている。すなわち、溝部５１よりも後側となる位置に後側係合突起５０が形成されている。
後側係合突起５０は、幅方向内側へ突出するように形成された突起状部分であり、突出端側の部分が丸みを帯びた形状となっている。言い換えると、後側係合突起５０は、平面視した形状が略半円状で上下方向に延びる突起状部分となっている。
【００９７】
ここで、２つの立板部２６ｂ，２６ｃにそれぞれ形成された２つの溝部５１は、同形の溝状部分であり、幅方向（彫刻刀１及び内部摺動体２６の幅方向）で離間対向する位置にそれぞれ形成されている。すなわち、２つの溝部５１のそれぞれは、前後方向における位置が同一となっている。
また、２つの後側係合突起５０は、同形の突起状部分であり、幅方向で離間対向する位置にそれぞれ形成され、互いに近づく方向に突出している。したがって、この２つの後側係合突起５０のそれぞれもまた、前後方向における位置が同一となっている。
【００９８】
柄側係合突起５３は、図１３で示されるように、ガイド突起部１９に形成される突起状部分であり、２つのガイド形成片部１９ａ，１９ｂにそれぞれ形成され、いずれもガイド形成片部１９ａ，１９ｂの幅方向における外側面からさらに外側へ突出している。
【００９９】
柄側係合突起５３は、いずれも平面視した形状が略半円状で上下方向に延びており、後端よりもやや前方に形成されている。
つまり、２つの柄側係合突起５３は、同形であり、幅方向で離間対向する位置にそれぞれ形成され、互いに離れる方向に突出している。つまり、２つの柄側係合突起５３のそれぞれは、前後方向における位置が同一となっている。
【０１００】
そして、彫刻刀１を保護姿勢から収納姿勢へ移行させる際、図１４（ａ）で示されるように、保護部材４を後方側（図１４では右方側）へ移動させていくと、２つの後側係合突起５０が、それぞれ異なる柄側係合突起５３と前方側から当接した状態となる。
【０１０１】
具体的に説明すると、本実施形態の彫刻刀１では、保護部材４の係合凹部３５（図２、図１２等参照）にガイド突起部１９を嵌入させた状態で、保護部材４を前後方向に移動させる構造としている。
すなわち、窓部１０ａに操作突起７ａを挿入させる構造とし、係合凹部３５にガイド突起部１９を嵌入させる構造とすることで、保護部材４の左右方向への移動を規制している。
つまり、窓部１０ａと操作突起７ａからなる組と、係合凹部３５とガイド突起部１９からなる組とが、いずれも保護部材４を前後方向に移動させる際のガイド部としても機能する。
【０１０２】
ここで、係合凹部３５にガイド突起部１９を嵌入させることで、図１４で示されるように、２つの立板部２６ｂ，２６ｃの間に２つのガイド形成片部１９ａ，１９ｂが位置した状態となっている。
つまり、一方のガイド形成片部１９ａの幅方向における外側面と、一方の立板部２６ｂの同方向における内側面とが微細に間隔を空けて離間対向した状態となっている。さらに、他方のガイド形成片部１９ｂの外側面と、他方の立板部２６ｃの内側面もまた、微細に間隔を空けて離間対向した状態となっている。
【０１０３】
したがって、保護部材４を後方側へ移動させていくと、一方の後側係合突起５０が一方の柄側係合突起５３に前方から当接すると共に、他方の後側係合突起５０が他方の柄側係合突起５３に前方から当接した状態となる（図１４（ａ）参照）。
そして、この状態からさらに保護部材４を後方側へ移動させることで、２つの後側係合突起５０のそれぞれが、いずれも２つの柄側係合突起５３の幅方向外側に位置した状態となる（図１４（ｂ）参照）。
【０１０４】
すなわち、２つのガイド形成片部１９ａ，１９ｂは、上記したように、溝部５１が形成されており（図１２参照）、後端側の一部同士が互いに離れる方向へ移動する弾性変形が可能となっている。さらに、上記したように、後側係合突起５０と柄側係合突起５３とは、いずれも丸みを帯びた形状となっている。
このため、後側係合突起５０が柄側係合突起５３に前方から当接した状態で、保護部材４にさらに後方側へ向かう力を加えると、後側係合突起５０は、柄側係合突起５３と接触した状態を維持しつつ柄側係合突起５３を乗り越えるように移動することとなる。
【０１０５】
つまり、後側係合突起５０は、柄側係合突起５３の前方に位置する状態から、柄側係合突起５３の外側（彫刻刀１の幅方向における外側）に位置した状態となり、柄側係合突起５３に乗り上げた状態となる。
すなわち、２つのガイド形成片部１９ａ，１９ｂの後端部同士が互い離れる方向に移動するように弾性変形し、２つのガイド形成片部１９ａ，１９ｂの後端側部分が通常時よりも開いた状態となる。そして、一方の後側係合突起５０が、一方の柄側係合突起５３よりも幅方向における外側に位置し、他方の後側係合突起５０が、他方の柄側係合突起５３よりも幅方向における外側に位置した状態となる（図１４（ｂ）参照）。
【０１０６】
さらに、保護部材４を後方側へ移動させることで、２つの後側係合突起５０が、それぞれ別の柄側係合突起５３を乗り越え、柄側係合突起５３の後方に位置した状態となり（図１４（ｃ）参照）、収納姿勢へと移行する。
【０１０７】
この状態では、保護部材４が２つの柄側係合突起５３によって係止された状態となり、一定以上の力で保護部材４を前方側へ移動させない限り、２つの柄側係合突起５３が保護部材４の前方側への移動を阻止する。すなわち、２つの柄側係合突起５３がストッパとして機能することで、２つの後側係合突起５０の前方側への移動が阻止され、それにより、収納姿勢から保護姿勢への意図しない姿勢変更が阻止される。
なお、収納姿勢から保護姿勢への変更する際は、一定以上の力で保護部材４を前方側へ移動させることで、２つの後側係合突起５０が上記とは逆に移動し、柄側係合突起５３を後方側から乗り越える。
【０１０８】
上記した実施形態では、柄部２とガード部６によってなす角αの範囲を規制する例を示したが、ガード部６の形状等を変更し、ガード部６のみでなす角αの範囲を規制してもよい。
【０１０９】
上記した実施形態では、彫刻刀１が平刀である例について説明したが、刃体部３の形状は適宜変更してもよい。すなわち、所謂平刀と称される形状に限るものではなく、所謂印刀（切り出し刀）、丸刀、浅丸刀、三角刀、平丸刀、丸曲刀等と称される形状としてもよい。
なお、所謂印刀のように、刃が前後方向成分を含む方向に延びる形状とした場合には、上記した距離Ｌ２等での刃の前後方向における位置は、前端部分であるものとする。
また、所謂三角刀のように、刃が上下方向成分を含む方向に延びる形状とした場合には、上記した線分の長さＬ３等での刃の上下方向における位置は、下端部分であるものとする。
【０１１０】
ここで、上記した実施形態の彫刻刀１は、通常使用時において、刃表を彫刻対象物側に位置させることを想定している。しかしながら、例えば、刃の形状を所謂印刀と称される形状とした彫刻刀は、通常使用時において、刃裏が彫刻対象物側に位置することを想定したものとなる。すなわち、形成される彫刻刀は、上記した実施形態のように、刃表が下方側に位置するものに限らず、刃裏が下方側に位置するものでもよい。
【０１１１】
なお、刃の形状を所謂三角刀とした場合には、上記した距離Ｌ２は、４．０ｍｍ以上８．０ｍｍ以下であることが好ましく、６．０ｍｍ以上７．０ｍｍ以下であることがより好ましい。
さらに、距離Ｌ２を６．３ｍｍ程度とすることが特に好ましい。
【０１１２】
また、刃の形状を所謂三角刀とした場合、上記した線分の長さＬ３は、１．０ｍｍ以上３．０ｍｍ以下であることが好ましく、１．０ｍｍ以上２．０ｍｍ以下であることがより好ましい。さらに、線分の長さＬ３を１．２５ｍｍ程度とすることが特に好ましい。
【０１１３】
また、刃の形状を所謂三角刀とした場合、上記したなす角αの範囲は、１５度以上４０度以下であることが好ましく、２１度以上３１．６８度以下であることがより好ましい。
【０１１４】
なお、刃の形状を所謂丸刀とした場合には、上記した距離Ｌ２は、４．０ｍｍ以上８．０ｍｍ以下であることが好ましく、６．０ｍｍ以上７．０ｍｍ以下であることがより好ましい。
さらに、距離Ｌ２を６．７９ｍｍ程度とすることが特に好ましい。
【０１１５】
また、刃の形状を所謂丸刀とした場合、上記した線分の長さＬ３は、１．０ｍｍ以上３．０ｍｍ以下であることが好ましく、１．０ｍｍ以上２．０ｍｍ以下であることがより好ましい。さらに、線分の長さＬ３を１．３７ｍｍ程度とすることが特に好ましい。
【０１１６】
また、刃の形状を所謂丸刀とした場合、上記したなす角αの範囲は、１５度以上４０度以下であることが好ましく、１７．２５度以上２９．７８度以下であることがより好ましい。
【０１１７】
なお、刃の形状を所謂小丸刀とした場合には、上記した距離Ｌ２は、４．０ｍｍ以上８．０ｍｍ以下であることが好ましく、６．０ｍｍ以上８．０ｍｍ以下であることがより好ましい。
さらに、距離Ｌ２を７．５２ｍｍ程度とすることが特に好ましい。
【０１１８】
また、刃の形状を所謂小丸刀とした場合、上記した線分の長さＬ３は、１．０ｍｍ以上３．０ｍｍ以下であることが好ましく、１．０ｍｍ以上２．０ｍｍ以下であることがより好ましい。さらに、線分の長さＬ３を１．３３ｍｍ程度とすることが特に好ましい。
【０１１９】
また、刃の形状を所謂小丸刀とした場合、上記したなす角αの範囲は、１５度以上４０度以下であることが好ましく、１６．０５度以上２９．７７度以下であることがより好ましい。
【実施例】
【０１２０】
続いて、本発明の実施例及び比較例について説明する。
実施例及び比較例として、上記した実施形態に準じた彫刻刀と、市販されている彫刻刀に対して耐久試験を実施し、ガード部の耐久性能を比較した。
（実施例１）
【０１２１】
上記した実施形態に準じた彫刻刀を作成して耐久試験を実施した。
試験では、図１５で示されるように、ガード部を上方に向けて直立させた姿勢とし、下端部を万力で固定した。すなわち、前後方向が鉛直方向に沿う姿勢として彫刻刀を固定した。さらに、図１５で示されるように、センサの下端面をガード部の前端部分（試験開始時における上端部分）に当接させ、この下端面を５０ｍｍ／ｍｉｎの速度で下方側に移動させて、折れ強度と曲がり強度を測定した。
なお、センサの下端面は、水平面と平行となる面とした。さらに、センサの下端面の面積は、直立させた姿勢における彫刻刀の平面視面積よりも十分に広い面積とし、その中心近傍にガード部を当接させた状態から試験を開始した。
そして、センサの下端面が刃に当接した状態となったとき、測定を終了した。
【０１２２】
測定終了までのガード部の前端部分の移動距離と、ガード部に掛かる荷重との関係は、図１６のグラフのようになった。また、試験終了後に彫刻刀を自然状態とすると、ガード部は元の形状に復元した。
なお、この耐久試験では、ガード部の形状が反り返るように変形していくのに対し、荷重は、常に鉛直方向下側に加わる。このため、弾性範囲内での変形であるにもかかわらず、移動距離が３ｍｍ程度であるときに荷重の最大値（４．５ｋｇｆ程度）を計測し、その後、移動距離が増加しても計測される荷重の値が大きく変化しないものとなっている。
したがって、実質的な強度は、実験初期のグラフの傾きをそのまま延長させた線分上において、刃当たりした際の移動距離と対応する点Ａ以上となる。
（比較例１）
【０１２３】
市販されている保護部材を備えた彫刻刀を用意した。そして、保護部材の一部が刃の周囲を覆う状態とし、実施例１と同様の耐久試験を実施した。
試験の結果は、図１６のグラフのようになった。また、移動距離が４．５ｍｍ程度であるときに荷重の最大値（６．６ｋｇｆ程度）を計測し（図中の点Ｂ参照）、保護部材が折れて破損した。すなわち、センサに刃が当接する前に、保護部材が折れて破損した。
（比較例２）
【０１２４】
市販されている保護部材を備えた彫刻刀であり、比較例１とは製造元及び形状が異なる彫刻刀を用意した。そして、保護部材の一部が刃の周囲を覆う状態とし、実施例１と同様の耐久試験を実施した。
試験の結果は、図１６のグラフのようになった。比較例２の彫刻刀は、刃がセンサに当接するまで保護部材を変形させると、保護部材が塑性変形して元に戻らなくなった。
【符号の説明】
【０１２５】
１  彫刻刀
２  柄部
３  刃体部
４  保護部材
２０  柄内空間
２０ａ  開口部分
３０，３１  ガード形成片
３２  ガード連結片
３８  ガード基端部
３９  くびれ部
４０  先端側部
４５  湾曲面部
α  なす角
【図１】
2019000985.tif 000003
【図２】
2019000985.tif 000004
【図３】
2019000985.tif 000005
【図４】
2019000985.tif 000006
【図５】
2019000985.tif 000007
【図６】
2019000985.tif 000008
【図７】
2019000985.tif 000009
【図８】
2019000985.tif 000010
【図９】
2019000985.tif 000011
【図１０】
2019000985.tif 000012
【図１１】
2019000985.tif 000013
【図１２】
2019000985.tif 000014
【図１３】
2019000985.tif 000015
【図１４】
2019000985.tif 000016
【図１５】
2019000985.tif 000017
【図１６】
2019000985.tif 000018